(57)【特許請求の範囲】
【請求項１】
生体データを測定する生体データ測定装置であって、
前記生体データが測定されるごとに、該測定された生体データを記憶する記憶部と、
外部装置と通信可能な通信部と、
前記通信部に、前記生体データが測定されるごとに、該測定された生体データを前記外部装置へ送信する第１の送信と、第１の所定の操作に応じて、前記記憶部に記憶されている生体データのうち、所定の生体データのみを前記外部装置へ送信する第２の送信と、前記第１の所定の操作とは異なる第２の所定の操作に応じて、前記記憶部に記憶されている全ての生体データを前記外部装置へ送信する第３の送信とを行わせる制御部と、を備える生体データ測定装置。
【請求項２】
請求項１に記載の生体データ測定装置において、
前記制御部は、前記第１の送信による前記生体データの前記外部装置への成否を、該生体データに対応付けて前記記憶部に記憶させ、前記第２の送信においては、前記記憶部に記憶されている、前記外部装置への送信に失敗した生体データを、前記通信部に前記外部装置へ送信させる、生体データ測定装置。
【発明の詳細な説明】
【技術分野】
【０００１】
本発明は、生体データ測定装置に関する。
【背景技術】
【０００２】
測定対象者の生体データ（血圧、体温、体重あるいは脈拍など）を測定する生体データ測定装置の中には、測定した生体データを、生体データを管理する外部装置へ送信する機能を有するものがある（例えば、特許文献１参照）。
【先行技術文献】
【特許文献】
【０００３】
【特許文献１】特開２００８−６１６６３号公報
【発明の概要】
【発明が解決しようとする課題】
【０００４】
生体データ測定装置と外部装置との間の通信環境が悪かった場合、あるいは、外部装置において生体データの受信準備ができていなかった場合など、外部装置への生体データの送信に失敗し、外部装置において生体データの欠落が生じることがある。また、外部装置に一度送信された生体データが、誤操作などにより削除されることがある。このような生体データの欠落あるいは削除により、生体データ測定装置で保持する生体データと外部装置で保持する生体データとの間に齟齬が生じることがある。このような齟齬を防ぐために、生体データ測定装置から外部装置への、より柔軟な生体データの送信が求められている。
【０００５】
上記のような問題点に鑑みてなされた本発明の目的は、測定された生体データの外部装置への送信の利便性の向上を図ることができる生体データ測定装置を提供することにある。
【課題を解決するための手段】
【０００６】
本発明の一実施形態に係る生体データ測定装置は、
生体データを測定する生体データ測定装置であって、
前記生体データが測定されるごとに、該測定された生体データを記憶する記憶部と、
外部装置と通信可能な通信部と、
前記通信部に、前記生体データが測定されるごとに、該測定された生体データを前記外部装置へ送信する第１の送信と、第１の所定の操作に応じて、前記記憶部に記憶されている生体データのうち、所定の生体データのみを前記外部装置へ送信する第２の送信と、前記第１の所定の操作とは異なる第２の所定の操作に応じて、前記記憶部に記憶されている全ての生体データを前記外部装置へ送信する第３の送信とを行わせる制御部と、を備える。
【発明の効果】
【０００７】
本発明によれば、測定された生体データの外部装置への送信の利便性の向上を図ることができる。
【図面の簡単な説明】
【０００８】
【図１】本発明の一実施形態に係る生体データ測定装置としての血圧計の構成例を示す図である。
【図２】図１に示す血圧計の動作の一例を示すフローチャートである。
【発明を実施するための形態】
【０００９】
以下、本発明を実施するための形態について、図面を参照しながら説明する。各図中、同一符号は、同一または同等の構成要素を示している。
【００１０】
図１は、本発明の一実施形態に係る生体データ測定装置としての血圧計１００の構成例を示す図である。本実施形態に係る血圧計１００は、測定対象者の血圧を生体データとして測定し、測定した生体データ（血圧の測定結果）を、外部装置２００に送信する。外部装置２００は、例えば、スマートフォン、ＰＣ（Personal Computer）、タブレット端末およびサーバ装置など種々の装置である。外部装置２００には、例えば、生体データを管理するためのアプリケーションが搭載されており、生体データ測定装置（血圧計１００）から送信されてきた生体データを管理する。なお、本実施形態においては、生体データ測定装置が血圧計１００である例を用いて説明するが、これに限られるものではない。本実施形態に係る生体データ測定装置は、脈拍を測定する脈拍計、体温を測定する体温計あるいは体重を測定する体重計など、測定対象者の生体データを測定可能な種々の装置であってよい。
【００１１】
図１に示す血圧計１００は、カフ１０１と、ポンプ１０３と、ポンプ駆動回路１０４と、エアバルブ１０５と、エアバルブ駆動回路１０６と、圧力センサ１０７と、Ａ／Ｄコンバータ１０８と、操作部１０９と、表示部１１０と、記憶部１１１と、通信部１１２と、制御部１１３とを備える。
【００１２】
カフ１０１は、測定対象者の血圧の測定部位（例えば、手首）に巻き付けるなどして、測定部位に当接して保持可能なように構成される。カフ１０１は、阻血袋１０２を備える。阻血袋１０２は、ポンプ１０３から供給される圧縮空気により膨張し、測定対象者の測定部位を阻血する。
【００１３】
ポンプ１０３は、ポンプ駆動回路１０４から出力される駆動信号により駆動され、圧縮空気を阻血袋１０２に供給する。
【００１４】
ポンプ駆動回路１０４は、制御部１１３の制御に従い、ポンプ１０３を駆動する駆動信号を生成し、ポンプ１０３に出力する。
【００１５】
エアバルブ１０５は、エアバルブ駆動回路１０６から出力される駆動信号により駆動され、開閉状態が変化する。エアバルブ１０５が閉状態では、阻血袋１０２内の圧力が維持される。また、エアバルブ１０５が開状態では、阻血袋１０２内の圧力が減圧される。
【００１６】
エアバルブ駆動回路１０６は、制御部１１３の制御に従い、エアバルブ１０５を駆動する駆動信号を生成し、エアバルブ１０５に出力する。
【００１７】
圧力センサ１０７は、阻血袋１０２の圧力を検出し、検出した圧力を示す圧力検出信号（アナログ信号）をＡ／Ｄコンバータ１０８に出力する。
【００１８】
Ａ／Ｄコンバータ１０８は、圧力センサ１０７から出力された圧力検出信号をデジタル信号に変換して、制御部１１３に出力する。
【００１９】
操作部１０９は、ユーザによる操作入力を受け付け、入力された操作に応じた信号を制御部１１３に出力する。操作部１０９は、例えば、血圧測定の開始／停止を指示する操作入力、測定された生体データの外部装置２００への送信を指示する操作入力などを受け付ける。操作部１０９は、例えば、スイッチである。
【００２０】
表示部１１０は、制御部１１３の制御に従い、種々の情報を表示する。表示部１１０は、例えば、測定された生体データを表示する。表示部１１０は、例えば、液晶ディスプレイなどである。
【００２１】
記憶部１１１は、例えば、半導体メモリ、磁気メモリまたは光メモリなどであるが、これらに限定されない。記憶部１１１は、例えば、主記憶装置、補助記憶装置またはキャッシュメモリとして機能してよい。記憶部１１１は、血圧計１００の動作に用いられる任意の情報を記憶する。例えば、記憶部１１１は、制御部１１３の動作を制御するプログラムを記憶する。また、記憶部１１１は、測定された測定データを記憶する。
【００２２】
通信部１１２は、有線通信または無線通信を介して外部装置２００と通信可能な通信モジュールを含む。通信部１１２は、例えば、４Ｇ（4th Generation）および５Ｇ（5th Generation）などの移動体通信規格に対応する通信モジュールを含んでよい。また、通信部１１２は、例えば、ＮＦＣ(Near Field Communication)、Ｂｌｕｅｔｏｏｔｈ（登録商標）あるいはＲＦＩＤ（Radio Frequency Identifier）などの近距離無線通信に対応する通信モジュールを含んでよい。また、通信部１１２は、例えば、ＵＳＢ（Universal Serial Bus）接続あるいは有線ＬＡＮ（Local Area Network）接続などに対応する通信モジュールを含んでよい。通信部１１２は、制御部１１３の制御に従い、外部装置２００と通信を行う。例えば、通信部１１２は、測定された生体データを、外部装置２００に送信する。
【００２３】
制御部１１３は、１つ以上のプロセッサである。プロセッサとしては、ＣＰＵ（Central Processing Unit）などの汎用プロセッサまたは特定の処理に特化した専用プロセッサを使用することができる。制御部１１３には、１つ以上の専用回路が含まれてよい。また、制御部１１３において、１つ以上のプロセッサを１つ以上の専用回路に置き換えてもよい。専用回路としては、例えば、ＦＰＧＡ（Field-Programmable Gate Array）またはＡＳＩＣ（Application Specific Integrated Circuit）を使用することができる。制御部１１３は、血圧計１００全体の動作を制御する。
【００２４】
制御部１１３は、例えば、操作部１０９を介して、血圧の測定の開始を指示する操作が入力されると、ポンプ駆動回路１０４にポンプ１０３を駆動させる。ポンプ駆動回路１０４によりポンプ１０３が駆動され、阻血袋１０２に圧縮空気が供給される。制御部１１３は、例えば、圧力センサ１０７から出力される圧力検出信号に基づき、阻血袋１０２内の圧力が所定値になるまでポンプ駆動回路１０４にポンプ１０３による圧縮空気の供給を続けさせる。制御部１１３は、圧力検出信号に基づき、阻血袋１０２内の圧力が所定値に達したと判定すると、ポンプ駆動回路１０４にポンプ１０３の駆動を停止させる。また、制御部１１３は、エアバルブ駆動回路１０６にエアバルブ１０５を駆動させ、エアバルブ１０５を閉状態にする。エアバルブ１０５が閉状態になることで、阻血袋１０２内の圧力が所定値の状態で保持され、測定対象者の測定部位が阻血される。この状態で、測定対象者の血圧が測定される。
【００２５】
血圧の測定時には、制御部１１３は、Ａ／Ｄコンバータ１０８を介して圧力センサ１０７から出力される圧力検出信号に基づいて、脈波を検出する。脈波は、圧力検出信号に基づいて、阻血袋１０２内の圧力の変化を算出することによって検出することができる。制御部１１３は、算出した脈波に基づいて、最高血圧値および最低血圧値を測定することができる。
【００２６】
制御部１１３は、測定された生体データを記憶部１１１に記憶させる。制御部１１３は、測定された生体データを表示部１１０に表示させてよい。制御部１１３は、測定された生体データの通信部１１２による外部装置２００への送信を制御する。測定された生体データの外部装置２００への送信の詳細については後述する。制御部１１３は、測定された生体データの通信部１１２による外部装置２００への送信の成否を、その生体データに対応付けて記憶部１１１に記憶させる。生体データの外部装置２００への送信の成否は、例えば、生体データの送信に対する外部装置２００からの受信応答の有無により判定することができる。
【００２７】
血圧の測定の完了後、制御部１１３は、エアバルブ駆動回路１０６にエアバルブ１０５を駆動させ、エアバルブ１０５を開状態にする。エアバルブ１０５が開状態になることで、阻血袋１０２内の圧力が減圧され、測定対象者の測定部位の阻血が解除される。
【００２８】
次に、血圧計１００の動作について、図２に示すフローチャートを参照して説明する。具体的には、生体データの外部装置２００への送信に関する動作について説明する。
【００２９】
制御部１１３は、生体データの測定を行ったか否かを判定する（ステップＳ１０１）。具体的には、制御部１１３は、生体データの測定を行った直後であるか否かを判定する。
【００３０】
生体データの測定を行ったと判定した場合（ステップＳ１０１：Ｙｅｓ）、制御部１１３は、通信部１１２に、測定された生体データの外部装置２００への送信（第１の送信）を行わせ（ステップＳ１０２）、処理を終了する。
【００３１】
生体データの測定を行っていないと判定した（生体データの測定を行った直後ではないと判定した）場合（ステップＳ１０１：Ｎｏ）、制御部１１３は、操作部１０９を介して、第１の所定の操作が行われたか否かを判定する（ステップＳ１０３）。第１の所定の操作は、例えば、外部装置２００への送信に失敗した生体データの外部装置２００への送信を指示する操作である。また、第１の所定の操作は、例えば、ユーザによる、記憶部１１１に記憶されている生体データの一部を指定する操作である。制御部１１３は、記憶部１１１に記憶されている生体データと、その生体データの送信の成否との対応関係を参照し、外部装置２００への送信に失敗した生体データの一覧を表示部１１０に表示させるなどして、送信する生体データの指定を受け付けてよい。
【００３２】
第１の所定の操作が行われたと判定した場合（ステップＳ１０３：Ｙｅｓ）、制御部１１３は、通信部１１２に、記憶部１１１に記憶されている生体データのうち、所定の生体データのみの外部装置２００への送信（第２の送信）を行わせ（ステップＳ１０４）、処理を終了する。第２の送信において送信される所定の生体データとは、第１の所定の操作に応じた生体データである。したがって、例えば、第１の所定の操作が、外部装置２００への送信に失敗した生体データの外部装置２００への送信を指示する操作である場合、制御部１１３は、通信部１１２に、記憶部１１１に記憶されている生体データのうち、外部装置２００への送信が失敗した生体データのみを、外部装置２００へ送信させる。また、例えば、第１の所定の操作が、記憶部１１１に記憶されている生体データの一部を指定する操作である場合、制御部１１３は、通信部１１２に、その操作により指定された生体データを、外部装置２００へ送信させる。
【００３３】
第１の所定の操作が行われていないと判定した場合（ステップＳ１０３：Ｎｏ）、制御部１１３は、操作部１０９を介して、第１の所定の操作とは異なる第２の所定の操作が行われたか否かを判定する（ステップＳ１０５）。第２の所定の操作は、例えば、記憶部１１１に記憶されている生体データの統計値が表示部１１０に表示されている状態での生体データの送信を指示する操作である。
【００３４】
第２の所定の操作が行われたと判定した場合（ステップＳ１０５：Ｙｅｓ）、制御部１１３は、通信部１１２に、記憶部１１１に記憶されている全ての生体データの外部装置２００への送信（第３の送信）を行わせ（ステップＳ１０６）、処理を終了する。
【００３５】
第２の所定の操作が行われていないと判定した場合（ステップＳ１０５：Ｎｏ）、制御部１１３は、送信すべき生体データがないので、処理を終了する。
【００３６】
このように、制御部１１３は、通信部１１２に、生体データが測定されるごとに、測定された生体データを外部装置２００へ送信する第１の送信と、第１の所定の操作に応じて、記憶部１１１に記憶されている生体データのうち、所定の生体データのみを外部装置２００へ送信する第２の送信と、第１の所定の操作とは異なる第２の所定の操作に応じて、記憶部１１１に記憶されている全ての生体データを外部装置２００へ送信する第３の送信とを行わせる。
【００３７】
第１の送信により、生体データが測定されるごとに、外部装置２００へ測定された生体データが送信される。ただし、血圧計１００と外部装置２００との間の通信環境が悪かった場合、あるいは、外部装置２００において生体データの受信準備ができていなかった場合など、外部装置２００への生体データの送信に失敗し、外部装置２００において生体データの欠落が生じることがある。このような場合、第２の送信により、欠落した生体データのみを、外部装置２００へ送信することができる。また、外部装置２００へ送信された生体データが誤操作などにより削除された場合、その生体データ自体は既に送信済みであるため、記憶部１１１に記憶されている生体データとその生体データの送信の成否との対応付けを参照しても、削除された生体データを特定することができない。このような場合、第３の送信により、血圧計１００の記憶部１１１に記憶されている全ての生体データを外部装置２００に送信することで、血圧計１００で保持される生体データと、外部装置２００で保持される生体データとの齟齬が生じるのを防ぐことができる。本実施形態においては、制御部１１３が通信部１１２に上述した第１から第３の送信を行わせることで、上記のような様々なケースに対応した生体データの送信が可能となる。従って、測定された生体データの外部装置２００への送信の利便性の向上を図ることができる。
【００３８】
このように本実施形態においては、生体データ測定装置としての血圧計１００は、生体データが測定されるごとに、測定された生体データを記憶する記憶部１１１と、外部装置２００と通信可能な通信部１１２と、制御部１１３とを備える。制御部１１３は、通信部１１２に、生体データが測定されるごとに、測定された生体データを外部装置２００へ送信する第１の送信と、第１の所定の操作に応じて、記憶部１１１に記憶されている生体データのうち、所定の生体データのみを外部装置２００へ送信する第２の送信と、第１の所定の操作とは異なる第２の所定の操作に応じて、記憶部１１１に記憶されている全ての生体データを外部装置２００へ送信する第３の送信とを行わせる。
【００３９】
通信部１１２に、第１から第３の送信を行わせることで、様々なケースに対応した生体データの送信が可能となるので、測定された生体データの外部装置２００への送信の利便性の向上を図ることができる。
【００４０】
上述の実施形態は代表的な例として説明したが、本発明の趣旨および範囲内で、多くの変更および置換が可能であることは当業者に明らかである。したがって、本発明は、上述の実施形態によって制限するものと解するべきではなく、特許請求の範囲から逸脱することなく、種々の変形および変更が可能である。例えば、実施形態の構成図に記載の複数の構成ブロックを１つに組み合わせたり、あるいは１つの構成ブロックを分割したりすることが可能である。
【符号の説明】
【００４１】
１００    血圧計（生体データ測定装置）
１０１    カフ
１０２    阻血袋
１０３    ポンプ
１０４    ポンプ駆動回路
１０５    エアバルブ
１０６    エアバルブ駆動回路
１０７    圧力センサ
１０８    Ａ／Ｄコンバータ
１０９    操作部
１１０    表示部
１１１    記憶部
１１２    通信部
１１３    制御部
２００    外部装置
【要約】
【課題】測定された生体データの外部装置への送信の利便性の向上を図る。
【解決手段】本発明に係る生体データ測定装置１００は、生体データが測定されるごとに、測定された生体データを記憶する記憶部１１１と、外部装置２００と通信可能な通信部１１２と、制御部１１３とを備える。制御部１１３は、通信部１１２に、生体データが測定されるごとに、測定された生体データを外部装置２００へ送信する第１の送信と、第１の所定の操作に応じて、記憶部１１１に記憶されている生体データのうち、所定の生体データのみを外部装置２００へ送信する第２の送信と、第１の所定の操作とは異なる第２の所定の操作に応じて、記憶部１１１に記憶されている全ての生体データを外部装置２００へ送信する第３の送信とを行わせる。
【選択図】図１【図１】
0006783402.tif 000002
【図２】
0006783402.tif 000003